(57)【要約】【課題】  ドアが閉鎖位置に戻る際の指詰めや騒音を防止ないし抑制できるようにする。【解決手段】  本発明は、ドア枠２に回動自在に枢着されたドア３の開放角度を規制するアームストッパー１に関する。このストッパー１は、ドア枠２又はドア３の一方に基端部が回動自在に取り付けられたアーム筒体４と、ドア枠２又はドア３の他方に先端部が回動自在に取り付けられ、アーム筒体３の先端部から長手方向に出退自在となるように、当該アーム筒体３の内部に摺動自在に挿通されたスライドアーム５と、閉鎖方向に回動しようとするドア３を半開放位置において制動する制動手段と、を備える。【選択図】図１
2010285858.tif 000002
【特許請求の範囲】
【請求項１】
ドア枠に回動自在に枢着されたドアの開放角度を規制するアームストッパーであって、
前記ドア枠又は前記ドアの一方に基端部が回動自在に取り付けられたアーム筒体と、
前記ドア枠又は前記ドアの他方に先端部が回動自在に取り付けられ、前記アーム筒体の先端部から長手方向に出退自在となるように、当該アーム筒体の内部に摺動自在に挿通されたスライドアームと、
閉鎖方向に回動しようとする前記ドアを半開放位置において制動する制動手段と、
を備えていることを特徴とするアームストッパー。
【請求項２】
半開放位置において制動された前記ドアを閉鎖位置になるまで付勢する付勢手段を更に備えている請求項１に記載のアームストッパー。
【請求項３】
前記付勢手段は、前記スライドアームの基端部を着脱自在にキャッチするキャッチ部材と、その基端部をキャッチした前記キャッチ部材を前記アーム筒体の基端側に引き込むバネ部材とを有する請求項２に記載のアームストッパー。
【請求項４】
前記制動手段は、前記スライドアームに設けられたギア付きのロータリーダンパと、前記アーム筒体の内部にその長手方向に沿って形成されたラック歯とを有し、
前記ラック歯は、前記ドアの半開放位置において前記ギアが噛合し始める位置に配置されている請求項１〜３のいずれか１項に記載のアームストッパー。
【請求項５】
開放規制位置の前記ドアをその位置に保持する保持手段を更に備え、
前記保持手段は、前記制動手段を構成する前記ロータリーダンパと、前記アーム筒体の先端部内に、その長手方向に沿って形成された第２のラック歯とを有し、
前記第２のラック歯は、前記ドアの開放規制位置において前記ギアが噛合し始める位置に配置されている請求項４に記載のアームストッパー。
【発明の詳細な説明】
【技術分野】
【０００１】  本発明は、ドアの開放角度を規制するアームストッパーに関するものである。
【背景技術】
【０００２】  例えば、建物内の出入り口に設けられる開き戸式のドアにおいては、ドアを開けたときに取っ手が壁に衝突して壁面が損傷するのを防止すべく、ドアの上框とドア枠との間にアームストッパーを設けてドアの開き角度を規制する場合がある。
かかるアームストッパーとして、ドアの上框の溝内にスライド自在に設けられたスライダーと、両端部が上枠とスライダーとにそれぞれ回動自在に連結されたリンクアームと、上框の溝内に固定されたストッパー部材とから構成されたものがある。【０００３】  この場合、ドアを開放方向へ回動させると、スライダーが戸先側から吊元側に向けて上框の溝内をスライドし、その溝内に固定したストッパー部材にスライダーが当ることによってドアの開き角度が規制されるようになっている（特許文献１参照）。
【先行技術文献】
【特許文献】
【０００４】
【特許文献１】  特許第３１４５６４５号公報
【発明の概要】
【発明が解決しようとする課題】
【０００５】  上記従来のアームストッパーでは、ドアの開き角度を規制する機能しか備えていないため、例えば、建物内で生じた風圧変化等によってドアが閉鎖方向に勢いよく回動すると、ドアが閉鎖位置に戻る際にドア枠に高速で衝突する場合がある。
このため、ドアとドア枠の間で手指を挟んで怪我をしたり、ドア枠への衝突時に大きな騒音が発生したりすることがあり、安全性と防音性に劣るという欠点がある。【０００６】  本発明は、このような従来の課題に鑑み、ドアが閉鎖位置に戻る際の指詰めや騒音を防止ないし抑制できるようにして、安全性と防音性に優れたアームストッパーを提供することを目的とする。
【課題を解決するための手段】
【０００７】  本発明は、ドア枠に回動自在に枢着されたドアの開放角度を規制するアームストッパーであって、前記ドア枠又は前記ドアの一方に基端部が回動自在に取り付けられたアーム筒体と、前記ドア枠又は前記ドアの他方に先端部が回動自在に取り付けられ、前記アーム筒体の先端部から長手方向に出退自在となるように、当該アーム筒体の内部に摺動自在に挿通されたスライドアームと、閉鎖方向に回動しようとする前記ドアを半開放位置において制動する制動手段と、を備えていることを特徴とする。【０００８】  本発明によれば、上記制動手段が、閉鎖方向に回動しようとするドアを半開放位置において制動するので、風圧変化等によってドアが閉鎖方向に勢いよく回動しても、その回動速度が半開放位置において停止又は弱められる。
このため、ドアとドア枠の間で手指を挟んで怪我をしたり、ドア枠への衝突時に大きな騒音が発生したりするのを防止ないし抑制することができる。【０００９】  本発明において、半開放位置において制動された前記ドアを閉鎖位置になるまで付勢する付勢手段を更に備えていることが好ましい。
この場合、上記付勢手段が、半開放位置において制動されたドアを閉鎖位置になるまで付勢するので、制動後のドアを自動的に閉鎖位置に戻すことができる。このため、半開放位置で制動されたドアをユーザが自分で閉鎖位置に戻す手間が不要となり、制動後のドアに対する後処理が至便となる。【００１０】  前記付勢手段は、例えば、前記スライドアームの基端部を着脱自在にキャッチするキャッチ部材と、その基端部をキャッチした前記キャッチ部材を前記アーム筒体の基端側に引き込むバネ部材とから構成することができる。【００１１】  一方、本発明において、前記制動手段は、前記スライドアームに設けられたギア付きのロータリーダンパと、前記アーム筒体の内部にその長手方向に沿って形成されたラック歯とから構成することができる。
この場合、前記ラック歯を、前記ドアの半開放位置において前記ギアが噛合し始める位置に配置すれば、ギア付きのロータリーダンパにおけるギア回転方向の緩衝機能により、閉鎖方向に回動しようとするドアを半開放位置において制動することができる。【００１２】  本発明のアームストッパーは、開放規制位置の前記ドアをその位置に保持する保持手段を更に備えていてもよい。かかる保持手段は、例えば、前記制動手段を構成する前記ロータリーダンパと、前記アーム筒体の先端部内に、その長手方向に沿って形成された第２のラック歯とから構成することができる。
この場合、前記第２のラック歯を、前記ドアの開放規制位置において前記ギアが噛合し始める位置に配置すれば、ギア付きのロータリーダンパにおけるギア回転方向の緩衝機能により、開放規制位置のドアをその位置に保持することができる。【００１３】  また、この場合、上記ロータリーダンパを保持手段の構成部材として兼用できるので、装置全体の構成を簡略化することができ、材料及び製作コストを低減できるという効果がある。
なお、ギア付きのロータリーダンパは、汎用部品として市販されているため、かかる市販のロータリーダンパをスライドアームに設けるようにすれば、制動手段や保持手段を構成するための製作コストを抑えることができる。
【発明の効果】
【００１４】  以上の通り、本発明によれば、ドアが閉鎖位置に戻る際の指詰めや騒音を防止ないし抑制できるので、アームストッパーの安全性及び防音性を向上することができる。
【図面の簡単な説明】
【００１５】
【図１】  アームストッパーを用いた部屋のドア部分の平面図である。
【図２】  アームストッパーの平面図である。
【図３】  アームストッパーの平面断面図である。
【図４】  アームストッパーの側面断面図である。
【発明を実施するための形態】
【００１６】  〔アームストッパーの全体構成〕
図１は、本発明に係るアームストッパーを用いた部屋のドア部分の平面図である。図２は、同アームストッパーの平明図である。
本実施形態のアームストッパー１は、マンションや戸建て住宅等の建物内で使用されるものであり、ドア枠２に回動自在に枢着されたドア３の開放角度を規制するものであり、アーム筒体４とこれに出退自在に挿通されたスライドアーム５とから主構成されている。
【００１７】  すなわち、図１に示すように、このアームストッパー１は、ドア枠（具体的にはその上枠）２に基端部が水平方向に回動自在に枢着されたアーム筒体４と、ドア３に先端部が水平方向に回動自在に枢着されたスライドアーム５とを備えており、このスライドアーム５は、アーム筒体４の先端部から長手方向に出退自在となるように、当該アーム筒体４の内部に摺動自在に挿通されている。
【００１８】  なお、図１において、符号Ａはドア３の「閉鎖位置」（開放角度θ＝０度）を示し、符号Ｂはドア３の「開放規制位置」を示している。また、符号Ｃはドア３の「半開放位置」を示している。開放規制位置での開放角度θは通常９０度以上に設定され、図例では約１１０度になっている。また、半開放位置での開放角度θは、ドア枠２との間で指詰めを防止できる程度であれば足りるが、図例では約２０度になっている。
更に、本明細書において、アームストッパー１の長手方向における、ドア枠２側を基端側といい、ドア３側を先端側という。
【００１９】  〔アーム筒体の構造〕
図３はアームストッパーの平面断面図であり、図４はアームストッパーの側面断面図である。図３及び図４に示すように、アーム筒体４は、断面ほぼ長方形の中空角筒よりなり、ドア枠２に対する回動取付部６を基端部に備えている。
このアーム筒体４の内部には、基端側（図３及び図４の左側）から先端側（図３及び図４の右側）に向かって順に、バネ部材７、キャッチ部材８、第１のラック部９、第２のラック部１０及び規制壁部１１が収容されている。
【００２０】  このうち、規制壁部１１は、アーム筒体４の最先端部に固定されており、後述の取付台１７が当該規制壁部１１に当接することによりスライドアーム５が抜け止めされる。
また、第１のラック部９は長手方向ほぼ中央部に固定されており、第２のラック部９は長手方向先端部に固定されている。これらのラック部９，１０には、後述のロータリーダンパ１８のギア１９が噛合する、アーム筒体４の長手方向に沿って形成されたラック歯が形成されている。
【００２１】  キャッチ部材８は、第１のラック部９の基端側に配置され、アーム筒体４の内部に長手方向にスライド自在に収容されたスライダ１２と、このスライダ１２に設けられた回転カム１３とからなる。
バネ部材７は、アーム筒体４の基端側に一端が固定された引っ張りコイルバネよりなり、このコイルバネの他端をスライダ１２に連結することにより、当該スライダ１２が常に基端側に付勢されている。
【００２２】  回転カム１３は、径外方向に開口する嵌合溝を有する。この嵌合溝がアーム筒体４の先端側を向いているときは、回転カム１３の外周縁がアーム筒体４の位置決め凹部（図示せず）に嵌り込んでいる。
このさい、スライダ１２は、バネ部材７が十分な引っ張り状態となる程度に先端側に位置決めされる。
【００２３】  他方、上記のようにスライダ１２を位置決めしている回転カム１３の嵌合溝に、スライドアーム５の連結ピン１６が嵌合すると、その連結ピン１３から受ける押圧力で回転カム１３が自転して嵌合溝が基端側を向き、これによって連結ピン１６が回転カム１３と結合する。
このさい、回転カム１３の外周縁が位置決め凹部から外れてスライダ１２の位置決めが解除され、スライドアーム５がスライダ１２とともに基端側に引き込まれる。
【００２４】  〔スライドアームの構造〕
図３及び図４に示すように、スライドアーム５は、断面幅がアーム筒体４の内空幅とほぼ同等の長尺板材よりなり、アーム筒体４の規制壁部１１をスライド自在に貫通している。また、スライドアーム５は、ドア３に対する回動取付部１５を先端部に備えている。
このスライドアーム５には、基端側（図３及び図４の左側）から先端側（図３及び図４の右側）に向かって順に、連結ピン１６、取付台１７及びロータリーダンパ１８が取り付けられている。
【００２５】  このうち、取付台１７は、スライドアーム５の突出量を規制するため、当該アーム５の先端部よりにネジ止めによって固定されており、この取付台１７が規制壁部１１に当接した時に、その突出量が最大となってドア３が開放規制位置Ｂ（図１参照）となる。
しかして、アーム筒体４の規制壁部１１とスライドアーム５の取付台１７とにより、ドア３の開放角度をその最大値に規制する開放規制手段が構成されている。
【００２６】  本実施形態のロータリーダンパ１８は、汎用部品として市販されているギア１９付きのものであり、ギア１９の歯部が前記ラック歯と噛合可能な向きで、前記取付台１７にネジ止めされている。
上記ロータリーダンパ１８は、ケーシングと、このケーシングに挿通されたギア１９の回転軸に設けたフィン（図示せず）とを有し、そのケーシング内に封入した粘性流体にフィンを浸すことにより、ギア１９の回転に抵抗を付与している。
【００２７】  第１のラック部９は、ドア３の半開放位置Ｃ（図１参照）においてギア１９が噛合し始める位置にラック歯を有しており、この位置に配置されたラック歯にロータリーダンパ１８のギア１９が噛合することにより、ドア３が半開放位置Ｃにおいて制動される。
しかして、上記ロータリーダンパ１８と第１のラック部９とにより、閉鎖方向に回動しようとするドア３を半開放位置Ｃにおいて制動する制動手段が構成されている。
【００２８】  一方、上記噛合とほぼ同時に、スライドアーム５の連結ピン１６が前記キャッチ部材８の回転カム１３に結合する。これにより、バネ部材７の弾性力でスライドアーム５がアーム筒体４の基端側に引き込まれて、ア３が閉鎖位置Ａに戻るようになっている。
しかして、上記バネ部材７とキャッチ部材８とにより、半開放位置Ｃにおいて制動されたドア３を閉鎖位置Ａになるまで付勢する付勢手段が構成されている。
【００２９】  更に、第２のラック部１０は、ドア３の開放規制位置Ｂ（図１参照）においてギア１９が噛合し始める位置にラック歯を有しており、この位置に配置されたラック歯にロータリーダンパ１８のギア１９が噛合することにより、ドア３が開放規制位置Ｂにおいて制動されてその位置に保持される。
しかして、上記ロータリーダンパ１８と第２のラック部９とにより、ドア３を開放規制位置Ｂに保持する保持手段が構成されている。
【００３０】  なお、本実施形態のロータリーダンパ１８では、ギア１９の回転方向に応じて抵抗が変化するように、ケーシング内のフィンの形状が設定されている。
具体的には、ギア１９に付与する抵抗は、図３における右回り抵抗の方が左回り抵抗よりも大きくなっている。従って、各ラック部９，１０に対してギア１９が基端側（図３の左側）に転動する場合の抵抗が、先端側（図３の右側）に転動する場合の抵抗よりも強くなっている。
【００３１】  このため、ロータリーダンパ１８は、スライドアーム５の収納方向については、その内部の流動抵抗によって半開放位置Ｃでの制動機能や開放規制位置Ｂでの保持機能を発揮するが、スライドアーム５の突出方向については、その内部の流動抵抗がさほど大きな抵抗とはならず、ロータリーダンパ１８を設けたことによってユーザによるドア３の開放が行い難くなることはない。
【００３２】  〔アームストッパーの作用〕
上記構成に係るアームストッパー１において、閉鎖位置Ａにあるドア３を開けると、ドア３が開放方向に回動する。このさい、ドア３が開放規制位置Ａになると、スライドアーム５の突出量が最大となり、ドア３をそれ以上開放することができない。
この状態では、ロータリーダンパ１８のギア１９が第２のラック部１０に噛合し始めの状態であり、そのダンパ１８が付与する閉鎖方向の抵抗により、ドア３が開放規制位置Ａに保持される。
【００３３】  一方、開放規制位置Ａのドア３を閉めると、ドア３が閉鎖方向に回動する。このさい、ドア３が半開放位置Ｃになると、ロータリダンパ１８のギア１９が第１のラック部９に噛合し始め、このダンパ１８が付与する閉鎖方向の抵抗により、ドア３が半開放位置Ｃにおいて制動される。
これと同時に、スライドアーム５の連結ピン１６がキャッチ部材８にキャッチされるとともに、バネ部材７によってキャッチ部材８が基端側に引き込まれ、その付勢力によってドア３が閉鎖位置Ａに戻る。
【００３４】  このように、本実施形態のアームストッパー１によれば、閉鎖方向に回動しようとするドア３が半開放位置Ｃにおいて制動されるので、風圧変化等によってドアが３閉鎖方向に勢いよく回動しても、その回動速度が半開放位置Ｃにおいて停止又は弱められる。
このため、ドア３とドア枠２の間で手指を挟んで怪我をしたり、ドア枠２への衝突時に大きな騒音が発生したりするのを防止ないし抑制することができる。
【００３５】  また、本実施形態のアームストッパー１によれば、半開放位置Ｃにおいて制動されたドア３が閉鎖位置Ａになるまで付勢されるので、制動後のドア３を自動的に閉鎖位置に戻すことができる。このため、半開放位置Ｃで制動されたドア３をユーザが自分で閉鎖位置に戻す手間がなく、制動後のドア３に対する後処理が至便である。
また、ロータリーダンパ１８が制動手段と保持手段の双方の機能を果たすので、各機能用のダンパを別個に設ける場合に比べて、装置全体の構成を簡略化することができ、材料及び製作コストを低減できるという効果もある。
【００３６】  〔変形例について〕
なお、本発明は上記実施形態に限定されるものではない。
例えば、上記実施形態では、アーム筒体４をドア枠２に連結し、スライドアーム５をドア３に連結しているが、その取付関係を逆にしてもよい。
【符号の説明】
【００３７】  １：アームストッパー    ２：ドア枠    ３：ドア    ４：アーム筒体
５：スライドアーム    ６：回転取付部    ７：バネ部材    ８：キャッチ部材
９：第１のラック部部    １０：第２のラック部    １１：規制壁部
１２：スライダ    １３：回転カム    １５：回転取付部    １６：連結ピン
１７：取付台    １８：ロータリーダンパ    １９：ギア
Ａ：閉鎖位置    Ｂ：開放規制位置    Ｃ：半開放位置
【図１】
2010285858.tif 000003
【図２】
2010285858.tif 000004
【図３】
2010285858.tif 000005
【図４】
2010285858.tif 000006